(57)【特許請求の範囲】
【請求項１】
天板、底板及び側板を有する箱体と、該箱体の中空部に充填された発泡体との一体物を有し、該箱体は、天板と上方側板を備える下方開口の蓋状の上方部材と、底板と下方側板を備える上方開口の箱状の下方部材の嵌合体であり、該箱体の外周部となる側板の高さ方向の先端部は、内側に折り重ね状態であり、外側に現れる先端は丸み状であることを特徴とする棚板。
【請求項２】
該側板は、左右側板及び前後側板の４つの側板であることを特徴とする請求項１記載の棚板。
【請求項３】
該箱体には発泡原液注入口が形成されていることを特徴とする請求項１又は２記載の棚板。
【請求項４】
該天板の端近傍に、転び止めの脚部が係止する係止孔が形成されていることを特徴とする請求項１〜３のいずれか１項に記載の棚板。
【請求項５】
該箱体の左右側板には、更に第２左右側板が取付けられたものであることを特徴とする請求項２に記載の棚板。
【請求項６】
該上方部材及び該下方部材は、板金加工されたものであることを特徴とする請求項１に記載の棚板。
【請求項７】
該発泡体は、ウレタンフォームであることを特徴とする請求項１〜６のいずれか１項に記載の棚板。
【請求項８】
天板と上方側板を備える下方開口の蓋状の上方部材と、底板と下方側板を備える上方開口の箱状の下方部材の嵌合体である、天板、底板及び側板を有する箱体であり、該箱体の外周部となる側板の高さ方向の先端部は、内側に折り重ね状態であり、外側に現れる先端は丸み状である箱体において、該箱体に形成された発泡原液注入口から箱体の中に発泡原液を注入し、該箱体の中で発泡原液を硬化させる工程を有することを特徴とする棚板の製造方法。
【請求項９】
該側板は、第２発泡原液注入口を備えた第２側板を取付けたものであることを特徴とする請求項８記載の棚板の製造方法。
【請求項１０】
該上方部材及び該下方部材のそれぞれの四隅には、コーナー部材が嵌る切欠部が形成されており、該下方部材の四隅の切欠部にコーナー部材を嵌め込み、次いで該下方部材と該上方部材を嵌合する工程を、前工程として行うことを特徴とする請求項８又は９記載の棚板の製造方法。
【請求項１１】
該上方部材の天板には、転び止めの脚部が係止する係止孔が形成されており、該下方部材の所定位置に転び止め受け部材を固定し、次いで該下方部材と該上方部材を嵌合する工程を、前工程として行うことを特徴とする請求項８〜１０のいずれか１項に記載の棚板の製造方法。
【請求項１２】
請求項１〜７の棚板を備えることを特徴とする物品陳列什器。
【発明の詳細な説明】
【技術分野】
【０００１】
本発明は、スーパー或いは量販店で使用される物品陳列用の棚板、その製造方法及び物品陳列什器に関するものである。
【背景技術】
【０００２】
スーパー或いは量販店で使用される商品陳列用の棚板は、枠体であるスタンドに複数枚、設置して使用するものは、強度以外に、軽量であることが望まれている。特開２０１５−２５５号公報には、什器に用いられる複合板材において、当該複合板材の両平面をそれぞれ形成する一対の平面板と、前記一対の平面板の間に挟まれてこれらを連結する連結板と、当該複合板材の外縁を形成する帯状の外縁材と、を備え、前記連結板が、空隙を含んで組み合わされた複数の板材により構成されて全体として板状をなす芯材と、前記芯材の外周面に接合される帯状の中間縁材と、を有し、前記外縁材が、前記連結板の中間縁材の外側面と、前記一対の平面板の各外周面と、に接合されることを特徴とする複合板材が開示されている。この複合板材によれば、煩雑な構造を要することなく縁材を強固に取り付けることができる。
【０００３】
また、特開２０１５−２１１８０２号公報には、合成樹脂の素材からなり、天板部と上方側板部からなる蓋状の上方部材と、底板部と下方側板部を備える箱状の下方部材と、を有し、該上方部材の開口側と該下方部材の開口側を対峙させ、該上方部材の内側に該下方部材を嵌め込むか、あるいは該下方部材の内側に該上方部材を嵌め込み、両者を係合又は接着により一体化したことを特徴とする商品陳列用棚板部材が開示されている。この商品陳列用棚板部材によれば、ヒケが生じない棚板部材を提供することができる。
【先行技術文献】
【特許文献】
【０００４】
【特許文献１】特開２０１５−２５５号公報
【特許文献２】特開２０１５−２１１８０２号公報
【特許文献３】特開平５−９８７６９号公報
【発明の概要】
【発明が解決しようとする課題】
【０００５】
しかしながら、特開２０１５−２５５号公報の複合板材は、７部材を組み付けるものであり、多くの製作工程を有する。また、芯材としてハニカム構造を使用しているものの、軽量とは言い難い。また、特開２０１５−２１１８０２号公報の棚板部材は、軽量であり、固定棚には好適ではあるものの、軸回転により、傾斜角度を自在とする回転可能な棚板としては、強度が十分ではない。
【０００６】
また、特開平５−９８７６９号公報には、発泡体の両面に薄いベニア板を挟持した建築材料が開示されている。しかし、この建築材料は、外周面は発泡体が剥き出しており、商品陳列棚用としては、意匠性に劣り、不向きである。
【０００７】
従って、本発明の目的は、軽量で且つ強度も高く、使用部品が少なく、芯材が実質的に剥き出していない棚板及び物品陳列什器を提供することにある。また、使用部品が少なく、複雑な工程を必要としない棚板の製造方法を提供することにある。
【課題を解決するための手段】
【０００８】
すなわち、本発明は、上記従来の課題を解決したものであって、天板、底板及び側板を有する箱体と、該箱体の中空部に充填された発泡体との一体物を有することを特徴とする棚板を提供するものである。
【０００９】
また、本発明は、天板、底板及び側板を有する箱体に形成された発泡原液注入口から箱体の中に発泡原液を注入し、該箱体の中で発泡原液を硬化させる工程を有する棚板の製造方法を提供するものである。
【００１０】
また、本発明は、上記棚板を備えることを特徴とする物品陳列什器を提供するものである。
【発明の効果】
【００１１】
本発明の棚板によれば、軽量で且つ強度も高く、使用部品が少なく、芯材である発泡体が実質的に剥き出していないため、意匠性に優れ陳列の演出効果を低下させることがない。また、本発明の棚板の製造方法によれば、使用部品が少なく、複雑な工程を必要としない。
【図面の簡単な説明】
【００１２】
【図１】本発明の第１の実施の形態における棚板の斜視図である。
【図２】図１の棚板の中間体の分解斜視図である。
【図３】（Ａ）は下方部材の角の切欠部とコーナー部材の関係を説明する図であり、（Ｂ）は下方部材の角の切欠部にコーナー部材が取付けられた図である。
【図４】（Ａ）は下方部材の底板に付設された係止孔と転び止め受け部材の関係を説明する図であり、（Ｂ）は下方部材の底板に固定された転び止め受け部材を説明する図である。
【図５】下方部材と上方部材の嵌合関係を説明する図である。
【図６】下方部材と上方部材の嵌合関係を説明する他の図である。
【図７】下方部材と上方部材の嵌合関係を説明する他の図である。
【図８】下方部材と上方部材の嵌合関係を説明する他の図である。
【図９】箱体の注入口から発泡剤原液を注入する方法を説明する図である。
【図１０】棚板の端部分における断面図である。
【図１１】（Ａ）は箱体の注入口とカバー材との関係を示す図であり、（Ｂ）は箱体の注入口をカバー材で塞いだ図である。
【図１２】本発明の第２の実施の形態における棚板の斜視図である。
【図１３】図１２の棚板の分解斜視図である。
【図１４】図１３の棚板の端部分の拡大図である。
【図１５】本発明の実施の形態における物品陳列什器の斜視図である。
【図１６】本発明の他の実施の形態における物品陳列什器の斜視図である。
【発明を実施するための形態】
【００１３】
次に、本発明の第１の実施の形態における棚板及びその製造方法を図１〜図１１を参照して説明する。棚板１０は、天板１、底板２及び側板３を有する箱体２０と、箱体２０の中空部Ｘに充填された発泡体Ｙとの一体物である。箱体２０は、芯材である発泡体Ｙの外側を覆う部材である。棚板１０は、本例では、平面視が略長方形であり、四隅は、丸み（アール）形状である。これにより、多段陳列に好適であり、また、顧客等の怪我防止となる。なお、四隅のコーナー部材７は、箱体２０の材料と異なる材料、例えば樹脂等を使用してもよい。この場合、コーナー部材７は、箱体２０に切り込まれた角に嵌め込まれることになる。棚板１０が、６角以上の多角形の場合、アール形状は省略してもよい。
【００１４】
棚板１０において、箱体２０としては、鋼板、アルミニウム板、ステンレス板などの金属又は強化繊維含有の樹脂板等の非金属板が挙げられる。この中、０．２５〜０．３５ｍｍの鋼板等の金属板が、軽量で高い強度を有し、且つ芯材である発泡体と接着して一体化できる点で好ましい。
【００１５】
棚板１０において、箱体２０は、天板１、底板２及び側板３が一体となった容器状であってもよく、複数部材が嵌合したものであってもよい。本例では、箱体２０は、天板１と上方側板３を備える下方開口の蓋状の上方部材１Ａと、底板２と下方側板４を備える上方開口の箱状の下方部材１Ｂの嵌合体である。上方側板３及び下方側板４は、共に、左右側板及び前後側板の４つの側板を有する。すなわち、上方部材１Ａの縦横及び高さの内寸法は、下方部材１Ｂの縦横及び高さの外寸法と略同じである（図５参照）。これにより、上方部材１Ａと下方部材１Ｂの嵌合体は、上方部材１Ａが、底板２を除く下方部材１Ｂの全体を覆う構造となっている。上方部材１Ａと下方部材１Ｂの嵌合は、特に係止部を必要とせず、単に、下方部材１Ｂに上方部材１Ａが、実質的に隙間なく蓋をしているものでよい。上方部材１Ａ及び下方部材１Ｂは、板金加工されたものが好ましい。
【００１６】
また、上方部材１Ａと下方部材１Ｂの側板同士の当接形態としては、特に制限されないが、例えば、図６及び図７に示すように、嵌合体の外周部となる上方側板又は下方側板の短手方向の先端部は、内側に折り重ね状態であり、外側に現れる先端は丸み状であるものが好ましい。すなわち、図６は、上方部材１Ａの側板３１ａの短手方向の先端部３１１は、折り重ねの屈曲部であり、外側に現れる先端３１１は丸み状となっている。このため、商品を手に取る顧客の手を傷つけることがない。また、図７は、上方部材１Ａの側板３２ａの短手方向の先端部３２１は、折り重ねの屈曲部であり、外側に現れる先端３２１は丸み状となっている。このため、商品を手に取る顧客の手を傷つけることがない。なお、図７の側板３２ａにおいて、図６の側板３１ａと異なる部分は、下方部材１Ｂの側板の高さが小である点及び上方部材１Ａの側板の内側に折り返えされた内側板の高さが小である点である。なお、図６及び図７において、上下反転させた状態、すなわち、上方部材１Ａを下方部材とし、下方部材１Ｂを上方部材としてもよい。この場合、外側に現れる屈曲部の丸みは、上端（先端）となる。
【００１７】
また、箱体２０は、図１及び図２のものに限定されず、箱体の外観形状としては、平面視が円形、楕円形、四角形以外の多角形及び不定形のものが挙げられる。すなわち、本発明の側板は、円形側板（周側板）、楕円側板、多角形側板及び不定形側板を含む意味である。
【００１８】
棚板１０は、芯材である発泡体Ｙの表面と箱体２０の内周面とは接着又は溶着（以下、単に「接着」と言う。）しており、両者は一体物である。すなわち、発泡体Ｙは、箱体２０の中空部に、外から発泡原液が注入され、内部で発泡、硬化したものであり、内部隙間は存在しない。従って、予め、所定形状の発泡体を作製し、その発泡体に対して、接着剤や両面テープを使用して天板、底板及び側板を取り付けた棚板とは異なる。すなわち、本発明の棚板１０は、接着剤や両面テープを省略でき、且つ箱体と発泡体を強固に一体化できる。
【００１９】
発泡体としては、例えばポリウレタンフォーム、ポリイソシアネートフォーム、ポリスチレンフォーム、フェノールフォーム、ポリエチレンフォーム等の合成樹脂発泡体が挙げられ、例えば、原液、硬化剤及び発泡剤を含む発泡原液を調製し、これを箱体２０内に吐出させ、箱体２０内で反応、発泡、硬化させて得られるものである。上記例示の発泡体の中、硬質又は半硬質のポリウレタンフォーム、ポリイソシアネートフォーム、ポリスチレンフォームが好ましく、特に硬質又は半硬質のポリウレタンフォームが好ましい。
【００２０】
棚板１０において、天板１の端近傍、本例では短手方向の端であり、長手方向に所定のピッチで、転び止め６の脚部６２ａ、６２ｂ、６２ｃが係止する係止孔８ａ、８ｂ、８ｃが形成されている。これにより、転び止め６の設置と取り外しが自由にできる。また、転び止め６の設置が安定する。また、棚板１０には、転び止め６が設置されている。これにより、例えば、前下がり傾斜の棚板とした際、陳列された商品が前方へ転落することを防止する。棚板１０に、転び止め６を設置する場合、棚板１０の係止孔８ａ、８ｂ、８ｃに、転び止め６の脚部６２ａ〜６２ｃを嵌め込めばよい。
【００２１】
また、棚板１０において、箱体２０には発泡原液注入口５が形成され、注入口５はカバー材５０で塞がれている（図２及び図１１参照）。発泡原液注入口５は、不図示の発泡原液注入器具のノズルの先端部が嵌る孔である。発泡原液注入口５の形成位置は、箱体２０の天板１、底板２及び側板３のいずれであってもよく、本例では、短手方向の２つの側板３ａ、３ａの中のひとつである。箱体２０が、上方部材１Ａと下方部材１Ｂの嵌合体の場合、上方部材１Ａと下方部材１Ｂの対応する位置に、注入口５はそれぞれ形成される。これにより、上方部材１Ａと下方部材１Ｂの嵌合体に注入口５が形成されることになる。カバー材５０としては、注入口５を隠すものであればよく、接着面に接着剤が塗布された化粧シール紙等が挙げられる。
【００２２】
本発明の棚板１０において、上方部材１Ａと下方部材１Ｂの側板同士の当接形態としては、特に制限されず、図５〜図７の他に、例えば、図８に示すように、上方部材１Ａの側板３３ａの先端側が、高さ方向の中央から左右方向の内側に屈曲して段差を形成するものであり、その屈曲した先端部において、下方部材１Ｂの側板４２ａを重ねたものである。図８の側板形状においても、側板の角が外側に突出しておらず、商品を手に取る顧客の手を傷つけることがない。また、図１０に示すように、図７において、上方部材１Ａの側板３２ａの折り重ねの屈曲部の先端部分を更に内側に折り曲げて水平部３２２を形成してもよい。この際、下方部材１Ｂの側板４２ａの先端が水平部３２２の裏面に当接している。これにより、下方部材１Ｂに上方部材１Ａを被せるだけで、両者の位置が決まる。なお、図５〜図８は、発泡原液注入前の状態であり、図１０は発泡原液注入後、箱体内で発泡、硬化した状態を示す。
【００２３】
本発明の棚板１０によれば、箱体２０の内周面と発泡体Ｙの外周面とは接着している。あるいは接着していなくとも、箱体２０の内周面と発泡体Ｙの外周面とは隙間なく接している。このため、撓み力に対しても、両部材は隙間を生じることなく、一体物として作用する。このため、軽量で且つ強度も高い。また、接着剤等の使用がなく、部品点数が少なく、芯材が実質的に剥き出していないため、意匠性に優れ、陳列の演出効果を低下させることがない。また、商品が載置される棚板１０の表面は、僅かなクッションがあり、商品を傷つけることのない優しい陳列面を形成できる。
【００２４】
次に、本発明の棚板の製造方法について説明する。本発明の棚板の製造方法は、天板、底板及び側板を有する箱体に形成された発泡原液注入口から箱体の中に発泡原液を注入し、該箱体の中で発泡原液を硬化させる工程を有する。
【００２５】
本発明の製造方法において、天板、底板及び側板を有する箱体２０は、中間体である。箱体２０としては、鋼板、アルミニウム板、ステンレス板などの金属又は強化繊維含有の樹脂板等の非金属板が挙げられる。この中、０．２５〜０．３５ｍｍの鋼板等の金属板が、軽量で高い強度を有し、且つ芯材である発泡体と接着して一体化できる点で好ましい。
【００２６】
棚板１０において、箱体２０は、天板、底板及び側板が一体となった容器状であってもよく、複数部材が嵌合したものであってもよい。箱体２０は、本例では、天板１と上方側板３を備える下方開口の蓋状の上方部材１Ａと、底板２と下方側板４を備える上方開口の箱状の下方部材１Ｂの嵌合体である。これにより、上方部材１Ａと下方部材１Ｂの嵌合体は、上方部材１Ａが、底板２を除く下方部材１Ｂの全体を覆う構造となっている。上方部材１Ａと下方部材１Ｂの嵌合は、特に係止部を必要とせず、単に、下方部材１Ｂに上方部材１Ａが、実質的に隙間なく蓋をしているものでよい。上方部材１Ａ及び下方部材１Ｂは、板金加工されたものが好ましい。以下、上方部材１Ａ及び下方部材１Ｂを使用した製造方法を説明する。
【００２７】
図２に示すように、上方部材１Ａ及び下方部材１Ｂのそれぞれの四隅には、コーナー部材７が嵌る切欠部７１１、７１２が形成されている。また、下方部材１Ｂの所定の位置には、転び止め受け部材９ａ、９ｂ、９ｃが嵌る貫通孔９１ａ、９１ｂ、９１ｃが形成されている。また、上方部材１Ａの天板１の端近傍、本例では短手方向の端であり、長手方向に所定のピッチで、係止孔８ａ、８ｂ、８ｃが形成されている。また、上方部材１Ａ及び下方部材１Ｂの側板３ａ、４ａには、発泡原液注入口５がそれぞれ形成されている。
【００２８】
また、製造に先立ち、上方部材１Ａ及び下方部材１Ｂの他に、転び止め受け部材９ａ、９ｂ、９ｃ及びコーナー部材７ａ〜７ｄを準備する。転び止め受け部材９は、箱体２０内に配置され、転び止め６を固定するものであり、略円柱状体の上部中央には、係合縦孔９４が形成され、底面には下方に延びる突起部９２が形成されている。係合縦孔９４には、転び止め６の脚部６２が嵌り、突起部９２は、底板２の貫通孔９１に嵌るようになっている。突起部９２の突起長さは底板２の厚み相当であり、短いため、図４には表れていない。また、コーナー部材７は、図３に示すように、平面視が略Ｌ字形状で、角部７０１がアール状のものであり、上方部材１Ａ及び下方部材１Ｂのそれぞれの四隅に嵌って、角部がアール状で且つ箱体の角部に対応する形状となっている。角部７０１から両側に延びる板状の係止片７０２、７０３は、上方部材１Ａ又は下方部材１Ｂのそれぞれ側板の内側面に当接する。これにより、発泡原液が箱体２０内において、反応し発泡して体積が増加しても、板状の係止片７０２、７０３がストッパーになるため、コーナー部材７が箱体２０の四隅の切欠部７から脱落することはない。
【００２９】
先ず、下方部材１Ｂを作業台に底板２を下にして設置する。次に、転び止め受け部材９ａ、９ｂ、９ｃの突起部９２を、それぞれ貫通孔９１ａ、９１ｂ、９１ｃに差し込み、転び止め受け部材９ａ、９ｂ、９ｃを底板２に固定する。転び止め受け部材９ａ、９ｂ、９ｃの突起部９２と貫通孔９１ａ、９１ｂ、９１ｃの係止は、発泡原液が反応する際、移動しない程度の係止でよい。突起部９２は、底板２の下面から下方に突出することはない。また、コーナー部材７を、下方部材１Ｂの四隅の切欠部７１２に対して、内側から外側に向けて嵌め込む（図３（Ａ）及び（Ｂ））。次いで、上方部材１Ａを天板１を上にした状態で、下方部材１Ｂに対して、蓋をするように嵌め込む（図２参照）。すなわち、下方部材１Ｂと上方部材１Ａを嵌合させる。これにより、中空部を有する箱体２０が形成できる。この際、転び止め受け部材９ａ、９ｂ、９ｃの係合縦孔９１と上方部材１Ａの係止孔８ａ、８ｂ、８ｃがそれぞれ対応する。また、箱体２０の四隅には、コーナー部材７が位置することになる。
【００３０】
次いで、図９に示すように、中間体である箱体２０を厚さ方向の移動を規制するように、固定治具１５０で固定する。固定治具１５０は、天板１の上の載せた上部材と、底板２の下に敷いた下部材をボルト等の連結部材で挟んだものである。本例では、長尺の板材を複数個、使用しているが、天板１や底板２より大の面積の一対の板材で、サンドイッチ状に挟んでもよい。これにより、外から箱体２０内部に発泡原液を注入して、箱体２０内で反応させても、中間体の箱体２０形状を維持することができる。
【００３１】
次いで、箱体２０に形成された発泡原液注入口５から箱体の中に発泡原液を注入し、該箱体の中で発泡原液を硬化させる工程を行う。発泡原液としては、反応後、例えばポリウレタンフォーム、ポリイソシアネートフォーム、ポリスチレンフォーム、フェノールフォーム、ポリエチレンフォーム等の合成樹脂発泡体を形成するものであり、公知の原液、硬化剤及び発泡剤を含む原液であればよい。例えば、ポリウレタンフォームの場合、ポリオール成分、アミン化合物、水及び触媒を含むポリオール混合物と、イソシアネート成分であり、これらの発泡原液を混合攪拌し、得られた混合物を注入口５から注入機器を用いて、箱体２０の中に注入し、箱体２０内で反応、発泡、硬化させたものである（図９参照）。
【００３２】
発泡原液は、箱体２０内において、発泡、硬化後、発泡体Ｙとなる。この際、３つの転び止め受け部材９ａ、９ｂ、９ｃは、底板２に固定されており、発泡原液の注入により、固定位置が摺れることはない。また、４つのコーナー部材７ａ〜７ｄは、切欠部７１１、７１２からアール部が出ているものの、係止片７０２、７０３が、上方部材１Ａ又は下方部材１Ｂの側板の内側面に当接しているため、隙間なく、切欠部７１１、７１２に設置され、外れることはない。このように、箱体２０内において、芯材である発泡体Ｙの表面と箱体２０の内周面とは接着又は緊密に接しており、両者は内部隙間が存在せず、一体物となっている。
【００３３】
次いで、コーナー部材７ａ〜７ｄと係止孔８ａ、８ｂ、８ｃを除く箱体２０の全外周面を、化粧シートで覆うことが好ましい。また、箱体２０に形成された発泡原液注入口５は、カバー材、本例ではシール紙５０で覆うことが好ましい。これにより、芯材として発泡体Ｙを有する棚板１０が得られる。棚板１０には、必要に応じて、転び止め６を設置する。転び止め６は、係止孔８ａ、８ｂ、８ｃに、転び止め６の脚部６２ａ、６２ｂ、６２ｃを係止することで設置できる。これにより、棚板１０が前方下り傾斜で設置される際、前方へ商品が連絡することを防止できる。
【００３４】
次に、本発明の第２の実施の形態における棚板１０ａについて、図１２〜図１４を参照して説明する。図１２〜図１４において、図１〜図１１と同一構成要素には、同一符号を付して、その説明を省略し、異なる点について主に説明する。すなわち、図１２〜図１４の棚板１０ａにおいて、図１〜図１１の棚板１０と異なる部分は、箱体２０ａは箱体２０の左右側板に、更に第２左右側板１７、１７を取付けた点、棚板１ａのコーナー部は、アールが形成されていない点、棚板１ａは、転び止め受け部材９ａ、９ｂ、９ｃが嵌る貫通孔９１ａ、９１ｂ、９１ｃと転び止め６の脚部６２ａ、６２ｂ、６２ｃが嵌る係止孔８ａ、８ｂ、８ｃが形成されていない点及び箱体１０ａの左右側板に、第２左右側板１７、１７を形成した点にある。
【００３５】
すなわち、棚板１０ａは、天板１ａ、底板２ａ、左右側板３ａ’及び前後側板３ｂ’を有する箱体２０ａと、箱体２０ａ内で発泡原液が反応して、硬化した発泡体Ｙとの一体物を有し、左右側板３ａ’、３ａ’には、発泡原液注入口５’（第２発泡原液注入口）を有する第２左右側板１７、１７が付設されている。
【００３６】
棚板１０ａにおいて、第２左右側板１７、１７は、図１４に示すように、箱体２０ａの左右側板３ａ’、３ａ’の形状に対応した所定厚みの板状体であって、箱体２０ａの左右側板３ａ’、３ａ’側の面（裏面）には、箱体２０ａの左右側板３ａ’、３ａ’の複数の係止孔１１に係止する係止突起１７１が形成され、箱体２０ａの左右側板３ａ’、３ａ’とは反対側の面（表面）には、両端縁及び上端縁を残して矩形断面の凹溝１７２が形成されている。
【００３７】
係止突起１７１は、係止孔１１に挿入又は押し込みにより係止孔１１に入り込む。係止突起１７１の長さは、箱体２０ａの左右側板３ａ’、３ａ’の板厚より大となっている。このため、係止突起１７１の先端部は、発泡体と接着しており、左右側板３ａ’、３ａ’ は箱体２０ａに強く、固定されることになる。また、凹溝１７２は、例えば固定側の支持枠の左右両腕部に相当するＬ字断面の受け部材６０の起立壁６１に係止する。すなわち、凹溝１７２は、受け部材６０の起立壁６１が嵌る形状である。これにより、棚板１０ａは、受け部材６０を有するゴンドラと称される商品陳列棚の支持枠に、上から載せるだけで簡単に設置ができる。
【００３８】
次に、棚板１０ａの製造方法について説明する。先ず、中間体である箱体２０ａを作製する（図１３）。箱体２０ａの製造方法は、箱体２０の製造方法と同じである。すなわち、箱体２０ａは、天板１ａ、底板２ａ’及び側板３ａ’、３ｂ’が一体となった容器状であってもよく、複数部材が嵌合したものであってもよい。また、箱体２０と同様に、天板と上方側板を備える下方開口の蓋状の上方部材と、底板と下方側板を備える上方開口の箱状の下方部材の嵌合体であってもよい。箱体２０ａの左右側板３ａ’、３ａ’には、係止突起１７１が係止する係止孔１１が、適宜の間隔で複数個、また、側板の長さ方向の中央には、発泡原液注入口５がそれぞれ形成されている。
【００３９】
次いで、箱体２０ａの左右側板３ａ’、３ａ’に、第２左右側板１７、１７を取り付ける。すなわち、第２左右側板１７、１７の係止突起１７１を、箱体２０ａの左右側板３ａ’、３ａ’の係止孔１１に挿入又は押し込む。この際、箱体２０ａの左右側板３ａ’、３ａ’の発泡原液注入口５と、第２左右側板１７、１７の発泡原液注入口５’とが一致して、一つの貫通孔を形成する。
【００４０】
次いで、箱体２０の製造方法と同様に、中間体である箱体２０ａを厚さ方向の移動を規制するように、固定治具で固定する。次いで、第２左右側板１７、１７の発泡原液注入口５’から箱体２０ａの中に発泡原液を注入し、該箱体の中で発泡原液を反応、硬化させる工程を行う。発泡原液は、箱体２０ａ内において、反応、硬化後、発泡体Ｙとなる。この際、第２左右側板１７、１７の係止突起１７１は、先端部が箱体２０ａ内に突き出ており、発泡原液の硬化の際、発泡体と接着して一体化する。これにより、第２左右側板１７、１７は、箱体２０ａに固定される。また、箱体２０と同様に、芯材である発泡体Ｙの表面と箱体２０ａの内周面とは接着又は緊密に接しており、内部隙間が存在せず、箱体容器と発泡体Ｙは一体となる。
【００４１】
本発明の物品陳列什器は、本発明の棚板を備え、好ましくは支持枠に回動不能又は回動自在に支持されるものである。また、棚板は、単段又は上下に多段であってもよい。例えば、図１５の物品陳列什器３０において、棚板１０は、支持枠４０に上下４段で、それぞれ上下方向、０〜９０度の回動範囲で自在に設置される。すなわち、支持枠４０は、脚部４１と、所定間隔離して設置した２本の支柱４２１、４２１と両支柱４２１、４２１間に差し渡して付設される上部横棧部材４２２とで形成される枠本体部４２からなり、棚板１０は、２本の支柱４２１、４２１間において、多段で設置される。すなわち、棚板１０の長手方向が左右方向であり、棚板１０の短手方向が前後方向である。棚板１０は、水平位置から前方端が下端となる垂下位置まで回転可能である。棚板１０の支持枠４０への支持方法としては、特に制限されず、公知の方法でよく、本例では、２本の支柱４２１、４２１に形成された支持用の軸孔と、棚板１０の後方の左右両端位置に形成された軸棒との係止である。また、棚板１０の陳列傾斜角度については、公知の支持角度変換具を使用すればよい。本発明の物品陳列用什器３０によれば、棚板１０が軽量であるため、支持枠４０の支持が安定する。また、棚板１０の陳列傾斜の角度を変更する際、手軽にできる。
【００４２】
図１６に示すように、物品陳列什器３０ａにおいて、棚板１０ａは、支持枠５０ａに上下４段で、回動不能に設置される。すなわち、支持枠５０ａは、左右の後方支柱５２ｂ、５２ｂ、左右の前方支柱５２ａ、５２ａ、左右の後方支柱５２ｂ、５２ｂを連結する横棧部材５３及び前後一対の支柱５２ａ、５２ｂを連結する受け部材６０を備えるものである。すなわち、両端の一対の受け部材６０で棚板１０ａの端部を支持することになる。物品陳列什器３０ａによれば、棚板１０ａは単に受け部材６０に載せるだけで簡単に設置できる。物品陳列什器３０ａにおいて、図１６の形態に限定されず、段数は適宜決定すればよい。また、一対の受け部材６０を両端に有するものであれば、支持枠５０ａの形状及び構造も適宜決定される。本発明の物品陳列用什器３０ａによれば、棚板１０ａが軽量であるため、支持枠４０ａの受け部材６０を簡易なものとすることができる。また、棚板１０ａの発泡原液注入口５’は、目隠しシールをしなくとも、受け部材６０で隠れるため、外からは見えない。
【００４３】
本発明において、物品としては、商品、展示物、貸出し物及び置物などが挙げられる。従った、物品陳列用什器において、陳列とは単に「物品」を載せることも含む広い意味である。物品陳列用什器としては、商品陳列用什器、図書陳列用什器及び物品載置用什器などが挙げられる。
【００４４】
本発明は、上記実施の形態例に限定されず、種々の変形を採ることができる。棚板１０において、コーナー部は任意の構成要素であり、省略することもできる。この際、上方部材１Ａ及び下方部材１Ｂの四隅の切欠部は設けない。また、棚板１０において、転び止め６は任意の構成要素であり、省略することもできる。この際、天板１の係止孔８ａ、８ｂ、８ｃ、底板２の貫通孔９１ａ、９１ｂ、９１ｃ及び転び止め受け部材９ａ、９ｂ、９ｃは設けない。また、棚板１０において、カバー材５０は省略してもよい。また、棚板１０ａにおいて、第２側板１７の係止手段は、凹溝１７２に限定されず、公知の係止手段であればよい。この際、固定側の支持枠の係止手段は、第２側板１７の係止手段に対応するものとなる。
【産業上の利用可能性】
【００４５】
本発明によれば、軽量で且つ強度も高く、芯材が実質的に剥き出していないため、意匠性に優れた棚板を提供できる。また、本発明の製造方法によれば、使用部品が少なく、複雑な工程を必要としない。
【符号の説明】
【００４６】
１、１ａ    天板
２    底板
３、３’    側板
４    下方部材の側板
５、５’    発泡原液注入口
６    転び止め
７    コーナー部材
９    転び止め受け部材
１０、１０ａ    棚板
１７    第２側板
２０、２０ａ    箱体
３０、３０ａ    物品陳列用什器
６０    受け部材（固定側）
【図１】
0006758868.tif 000002
【図２】
0006758868.tif 000003
【図３】
0006758868.tif 000004
【図４】
0006758868.tif 000005
【図５】
0006758868.tif 000006
【図６】
0006758868.tif 000007
【図７】
0006758868.tif 000008
【図８】
0006758868.tif 000009
【図９】
0006758868.tif 000010
【図１０】
0006758868.tif 000011
【図１１】
0006758868.tif 000012
【図１２】
0006758868.tif 000013
【図１３】
0006758868.tif 000014
【図１４】
0006758868.tif 000015
【図１５】
0006758868.tif 000016
【図１６】
0006758868.tif 000017